(57)【要約】  本発明は、酵素の洗浄能力を高めるための、炭素原子数８〜２２の一種または二種以上の第二パラフィンスルホネートの使用に関する。酵素としては、好ましくは、プロテアーゼ、アミラーゼ、マンナーゼ、リパーゼ及びエンドラーゼが使用される。酵素の洗浄性能の向上は、特に、繊維材料用液状洗濯洗剤中で及びミルク、デンプン、血、チョコレート及び／またはカカオからの汚れで起こる。【特許請求の範囲】
【請求項１】
一種または二種以上の酵素の洗浄能力を高めるための、炭素原子数８〜２２の一種または二種以上の第二パラフィンスルホネートの使用。
【請求項２】
前記一種または二種以上の第二パラフィンスルホネートの少なくとも９５重量％が１４〜１７個の炭素原子を含むことを特徴とする、請求項１に記載の使用。
【請求項３】
前記一種または二種以上の第二パラフィンスルホネートの９５〜１００重量％が線状パラフィン部分を含み、前記一種または二種以上の第二パラフィンスルホネートの０〜５重量％が分枝状パラフィン部分を含むことを特徴とする、請求項１または２に記載の使用。
【請求項４】
前記一種または二種以上の第二パラフィンスルホネートの対イオンが、Ｎａ＋、Ｋ＋、Ｍｇ２＋及びＣａ２＋からなる群から選択されることを特徴とする、請求項１〜３のいずれか一つに記載の使用。
【請求項５】
前記一種または二種以上の第二パラフィンスルホネートの対イオンがＮａ＋であることを特徴とする、請求項４に記載の使用。
【請求項６】
前記一種または二種以上の第二パラフィンスルホネートの１００重量％が飽和パラフィン部分を含むことを特徴とする、請求項１〜５のいずれか一つに記載の使用。
【請求項７】
スルホネート基が、前記一種または二種以上の第二パラフィンスルホネートの非末端パラフィン部分にわたってランダムに分布しており、そして前記一種または二種以上の第二パラフィンスルホネートの７５〜９５重量％が一つのスルホネート基を有し、そして前記一種または二種以上の第二パラフィンスルホネートの５〜２５重量％が二つまたは二つ超のスルホネート基を有することを特徴とする、請求項１〜６のいずれか一つに記載の使用。
【請求項８】
前記一種または二種以上の酵素が、プロテアーゼ、アミラーゼ、マンナーゼ、リパーゼ及びエンドラーゼからなる群から選択されることを特徴とする、請求項１〜７のいずれか一つに記載の使用。
【請求項９】
前記一種または二種以上の第二パラフィンスルホネート、及び前記一種または二種以上の酵素が、繊維材料用の液状洗濯洗剤中に使用されることを特徴とする、請求項１〜８のいずれか一つに記載の使用。
【請求項１０】
ミルク、デンプン、血、チョコレート及び／またはカカオに対する前記一種または二種以上の酵素の洗浄能力が高められることを特徴とする、請求項９に記載の使用。
【請求項１１】
５〜６０℃の洗濯温度での、繊維材料上の汚れに対する前記一種または二種以上の酵素の洗浄能力を特徴とする、請求項９または１０に記載の使用。
【請求項１２】
前記一種または二種以上の第二パラフィンスルホネートの量が５〜３０重量％であることを特徴とする、請求項９〜１１のいずれか一つに記載の使用。
【請求項１３】
前記一種または二種以上の酵素の量が０．００１〜８重量％であることを特徴とする、請求項９〜１２のいずれか一つに記載の使用。
【発明の詳細な説明】
【技術分野】
【０００１】
本発明は、酵素の洗浄能力を高めるための第二パラフィンスルホネートの使用に関する。
【背景技術】
【０００２】
洗濯洗剤及び洗浄剤、特に繊維材料用の洗濯洗剤中に、例えば油脂含有、タンパク質含有またはデンプン含有汚れに対して酵素を使用することは既に知られている。
【先行技術文献】
【特許文献】
【０００３】
【特許文献１】ＥＰ８５４１３６Ａ１
【特許文献２】ＵＳ３，３３２，８８０
【特許文献３】ＵＳ４，６６４，８３９
【特許文献４】ＥＰ−Ａ−０３８４０７０
【特許文献５】ＵＳ３，１２８，２８７
【特許文献６】ＵＳ３，６３５，８３０
【特許文献７】ＵＳ４，６６３，０７１
【特許文献８】ＵＳ４，５６６，９８４
【特許文献９】ＵＳ３，１５９，５８１
【特許文献１０】ＵＳ３，２１３，０３０
【特許文献１１】ＵＳ３，４２２，０２１
【特許文献１２】ＵＳ３，４００，１４８
【特許文献１３】ＵＳ３，４２２，１３７
【発明の概要】
【発明が解決しようとする課題】
【０００４】
しかし、酵素の洗浄能力を更に向上する要望がある。
【課題を解決するための手段】
【０００５】
驚くべきことに、炭素原子数８〜２２の第二パラフィンスルホネートを加えることによって酵素の洗浄能力を有意に高め得ることが見出された。
【０００６】
それ故、本発明の対象は、一種または二種以上の酵素の洗浄能力を高めるための、炭素原子数８〜２２の一種または二種以上の第二パラフィンスルホネートの使用である。
【発明の効果】
【０００７】
本発明の使用は、例えば、第二パラフィンスルホネート及び酵素を含む対応する組成物の洗浄力、特に繊維材料上の汚れに対する洗濯洗剤の洗浄力が高められるという利点をもたらす。代替的に、同等の洗浄性能において、洗剤の量を減らすこともでき、これは生態学的な利点を供する。更に加えて、低温下でも洗浄でき、それによってエネルギー消費量を減少することができる。
【発明を実施するための形態】
【０００８】
第二パラフィンスルホネートは、かなり以前から、特に洗濯洗剤用途、食器用洗浄剤及び工業用クリーナーのための、ベース界面活性剤として知られている。
【０００９】
また、例えば第二パラフィンスルホネートであるＨｏｓｔａｐｕｒ（登録商標）ＳＡＳに関して２０００年５月からのクラリアント社カタログ“Ａ  ｔｒａｄｉｔｉｏｎａｌ  ｓｐｅｃｉａｌｉｔｙ  ｆｏｒ  ｉｎｎｏｖａｔｉｖｅ  ｃｌｅａｎｅｒｓ”から、酵素及び第二パラフィンスルホネートの両方を一緒に例えば液状洗濯洗剤に使用できることも知られている。更に、このクラリアント社カタログからは、Ｈｏｓｔａｐｕｒ（登録商標）ＳＡＳなどの第二パラフィンスルホネートが、例えばプロテアーゼ類またはリパーゼ類などの酵素を安定化することができ、そして例えば液状洗濯洗剤などの調合物中において、大概のアニオン性界面活性剤、例えば線状アルキルベンゼンスルホネート（ＬＡＳ）またはアルキルスルフェートと比べて、より良好な酵素適合性を与えることも知られている。そのカタログには、いわゆる“重質”及び“軽質”液状洗剤をベースとする液状洗濯洗剤において、Ｈｏｓｔａｐｕｒ（登録商標）ＳＡＳを使用することによって、酵素の量を減少できることも記載されている。
【００１０】
第二パラフィンスルホネートは、光化学的条件下にパラフィンをスルホキシド化することによって製造することができ、そして例えば、３０重量％、６０重量％及び９３重量％の濃度でＨｏｓｔａｐｕｒ（登録商標）ＳＡＳの商品名で市場で入手することができる。
【００１１】
好ましくは、一種または二種以上の第二パラフィンスルホネートの少なくとも９５重量％、特に好ましくは少なくとも９７重量％が、１４〜１７個の炭素原子を含む。
【００１２】
好ましくは、一種または二種以上の第二パラフィンスルホネートの９５〜１００重量％、特に好ましくは９６〜９９．９重量％が線状パラフィン部分を含み、そして一種または二種以上の第二パラフィンスルホネートの０〜５重量％、特に好ましくは０．１〜４重量％が分枝状パラフィン部分を含む。
【００１３】
好ましくは、一種または二種以上の第二パラフィンスルホネートの対イオンは、Ｎａ＋、Ｋ＋、Ｍｇ２＋及びＣａ２＋からなる群から選択される。特に好ましくは、一種または二種以上の第二パラフィンスルホネートの対イオンはＮａ＋である。
【００１４】
好ましくは、一種または二種以上の第二パラフィンスルホネートの９９．５〜１００重量％は飽和パラフィン部分を含み、そして一種または二種以上の第二パラフィンスルホネートの０〜０．５重量％は不飽和パラフィン部分を含む。特に好ましくは、一種または二種以上の第二パラフィンスルホネートの１００重量％が飽和パラフィン部分を含み、不飽和部分は含まない。
【００１５】
本発明の枠内において、“第二パラフィンスルホネート”とは、スルホネート基が非末端パラフィン部分に結合していることを意味する。
【００１６】
好ましくは、スルホネート基は、一種または二種以上のパラフィンスルホネートの非末端パラフィン部分にわたってランダムに分布しており、更に好ましくは、一種または二種以上の第二パラフィンスルホネートの７５〜９５重量％が一つのスルホネート基を有し、そして一種または二種以上の第二パラフィンスルホネートの５〜２５重量％が二つまたはそれ超のスルホネート基を有する。
【００１７】
酵素としては慣用の酵素を使用することができる。このような酵素は、例えばプロテアーゼ類、アミラーゼ類、マンナーゼ類、リパーゼ類、エンドラーゼ類、ペクチナーゼ類、セルラーゼ類、プルリナーゼ類、クチナーゼ類またはパーオキシダーゼ類である。
【００１８】
プロテアーゼ類には、例えばＬｉｑｕａｎａｓｅ（登録商標）Ｕｌｔｒａ  ２，０  ＸＬ、ＢＬＡＰ（登録商標）、Ｏｐｔｉｃｌｅａｎ（登録商標）、Ｍａｘａｃａｌ（登録商標）、Ｍａｘａｐｅｍ（登録商標）、Ｅｓｐｅｒａｓｅ（登録商標）、Ｓａｖｉｎａｓｅ（登録商標）、Ｐｕｒａｆｅｃｔ（登録商標）、ＯｘＰ及び／またはＤｕｒａｘｙｍ（登録商標）が、
アミラーゼ類には、例えばＳｔｅｉｎｚｙｍｅ（登録商標）Ｐｌｕｓ  １２Ｌ、Ｔｅｒｍａｍｙｌ（登録商標）、Ａｍｙｌａｓｅ（登録商標）ＬＴ、Ｍａｘａｍｙｌ（登録商標）、Ｄｕｒａｍｙｌ（登録商標）及び／またはＰｒｕａｆｅｃｔ（登録商標）Ｏｘが、
マンナーゼ類には、例えばＭａｎｎａｗａｙ  ４，０  Ｌが、
リパーゼ類には、例えばＬｉｐｅｘ（登録商標）１００  Ｌ、Ｌｉｐｏｌａｓｅ（登録商標）、Ｌｉｐｏｍａｘ（登録商標）、Ｌｕｍａｆａｓｔ（登録商標）及び／またはＬｉｐｏｚｙｍ（登録商標）が、
エンドラーゼ類には、例えばＥｎｄｏｌａｓｅ（登録商標）５０００Ｌが、
ペクチナーゼ類には、例えばＰｅｃｔｉｎｅｘ  ３Ｘ  Ｌ及び／またはＰｅｃｔｉｎｅｘ  Ｕｌｔｒａ  ＳＰＬが、そして
セルラーゼ類には、例えばＣａｒｅｚｙｍｅ  １０００  Ｌ及び／またはＣｅｌｌｕｃｌａｓｔ  １．５  Ｌが、
利用される。
【００１９】
好ましくは、一種または二種以上の酵素は、プロテアーゼ、アミラーゼ、マンナーゼ、リパーゼ、エンドラーゼ及びペクチナーゼからなる群から選択される。特に好ましくは、一種または二種以上の酵素は、プロテアーゼ、アミラーゼ、マンナーゼ、リパーゼ、及びエンドラーゼからなる群から選択される。就中好ましくは、一種または二種以上の酵素は、プロテアーゼ及びアミラーゼからなる群から選択される。本発明の非常に好ましい実施形態の一つでは、酵素はプロテアーゼである。本発明の他の非常に好ましい実施形態の一つでは、酵素はアミラーゼである。
【００２０】
好ましくは、本発明の使用においては、一種または二種以上の第二パラフィンスルホネート及び一種または二種以上の酵素は洗濯洗剤及び洗浄剤中に存在する。
【００２１】
該洗濯洗剤及び洗浄剤は、上記の一種または二種以上の第二パラフィンスルホネート及び上記の一種または二種以上の酵素の他に、一種または二種以上の通常の構成分、例えば他の（前記第二パラフィンスルホネートとは異なる）界面活性剤、乳化剤、ビルダー、漂白触媒及び漂白活性化剤、金属イオン封鎖剤、ソイルリリースポリマー、黒ずみ防止剤、色移り防止剤、染料定着剤、錯化剤、蛍光増白剤、柔軟化成分、染料及び／または香料を含むことができる。
【００２２】
洗濯洗剤及び洗浄剤中での界面活性剤の総量は、それぞれ完成した洗濯洗剤及び洗浄剤の総重量を基準として、好ましくは１〜９９重量％、特に好ましくは５〜８０重量％、就中好ましくは１０〜７０重量％、及び非常に好ましくは２０〜６０重量％であることができる。
【００２３】
該洗濯洗剤及び洗浄剤中に使用される界面活性剤は、アニオン性、非イオン性、両性またはカチオン性であることができる。上記の界面活性剤の混合物も使用することができる。好ましい洗濯洗剤及び洗浄剤は、アニオン性及び／または非イオン性界面活性剤、及び他の界面活性剤とのそれらの混合物を含む。
【００２４】
アニオン性界面活性剤としては、例えばスルフェート、スルホネート、カルボキシレート、ホスフェート及びこれらの混合物が考慮される。ここで適当なカチオンは、例えばアルカリ金属、例えばナトリウムもしくはカリウム、またはアルカリ土類金属、例えばマグネシウム、並びにアンモニウム、置換されたアンモニウム化合物（モノ−、ジ−もしくはトリエタノールアンモニウムカチオンも含む）、及びこれらの混合物である。
【００２５】
次のタイプのアニオン性界面活性剤が特に重要である：エステルスルホネート、スルフェート、エーテルスルフェート、置換されたベンゼンスルホネート、スルホネート及び石けん。
【００２６】
特に洗濯洗剤用途のための、好ましいエステルスルホネートは次式の化合物である。
【００２７】
【化１】
2014523469.tif 000002
【００２８】
式中、Ｒ１はＣ８−Ｃ２０炭化水素残基、好ましくはアルキルを示し、そしてＲはＣ１〜Ｃ６炭化水素残基、好ましくはアルキルを示す。Ｍは、エステルスルホネートと水溶性の塩を形成するカチオンを表す。適当なカチオンはナトリウム、カリウム、リチウムまたはアンモニウムカチオン、例えばモノエタノールアミン、ジエタノールアミン及びトリエタノールアミンである。特に好ましいものは、Ｒ１がＣ１０〜Ｃ１６アルキルを意味し、Ｒがメチルを意味するメチルエステルスルホネートである。
【００２９】
ここでスルフェートは式ＲＯＳＯ３Ｍの水溶性の塩または酸であり、ここでＲは、Ｃ１０〜Ｃ２４炭化水素残基、好ましくはＣ１０〜Ｃ２０アルキル成分を有するアルキル−もしくはヒドロキシアルキル基、特に好ましくはＣ１２〜Ｃ１８アルキル−もしくはヒドロキシアルキル基である。Ｍは水素またはカチオン、例えばアルカリ金属カチオン（例えばナトリウム、カリウム、リチウム）またはアンモニウムもしくは置換されたアンモニウムである。
【００３０】
エーテルスルフェートは、式ＲＯ（Ａ）ｍＳＯ３Ｍの水溶性塩または酸であり、ここでＲは、置換されていないＣ１０〜Ｃ２４炭化水素残基、好ましくはＣ１０〜Ｃ２４アルキル基、またはヒドロキシ基によって置換されたＣ１０〜Ｃ２４炭化水素残基、好ましくはＣ１０〜Ｃ２４ヒドロキシアルキル基、特に好ましくはＣ１２〜Ｃ２０アルキルもしくはヒドロキシアルキル基、就中好ましくはＣ１２〜Ｃ１８アルキルもしくはヒドロキシアルキル基を示す。Ａはエトキシ（ＥＯ）またはプロポキシ（ＰＯ）単位であり、ｍは０より大きい数、好ましくは０．５〜６の数、特に好ましくは０．５〜３の数であり、そしてＭは水素原子またはカチオン、例えばナトリウム、カリウム、リチウム、カルシウム、マグネシウム、アンモニウムまたは置換されたアンモニウムカチオンである。例としては、Ｃ１２〜Ｃ１８脂肪アルコールエーテルスルフェートが挙げられ、この際、ＥＯの含有量は、脂肪アルコールエーテルスルフェート１モルあたり１、２、２．５、３または４モルであり、ここでＭはナトリウムまたはカリウムである。
【００３１】
更に別の適当なアニオン性界面活性剤は、アルケニルもしくはアルキルベンゼンスルホネートである。そのアルケニルまたはアルキル基は分枝状または線状であることができ、そして場合によりヒドロキシル基で置換されていてもよい。好ましいアルキルベンゼンスルホネートは、炭素原子数９〜２５、好ましくは炭素原子数１０〜１３の線状アルキル鎖を含み、カチオンはナトリウム、カリウム、アンモニウム、モノ−、ジ−もしくはトリエタノールアンモニウム、カルシウム、マグネシウムまたはこれらの混合物である。マイルドな界面活性剤系にはマグネシウムがカチオンとして好ましく、これに対し標準的な洗濯用途にはナトリウムが好ましい。これと同じことがアルキルベンゼンスルホネートにも言える。
【００３２】
本発明に従い使用される第二パラフィンスルホネートの他に、第一スルホネートも該洗濯洗剤及び洗浄剤中に使用することができる。
【００３３】
第一スルホネートは、好ましくはアルカンスルホネート及びアルケンスルホネートであり、この際、そのアルキルまたはアルケニル基は分枝状かまたは線状のいずれかであり、そして場合によってはヒドロキシル基で置換されていてもよい。好ましい第一スルホネートは、炭素原子数が９〜２５、好ましくは炭素原子数が１０〜２０、特に好ましくは炭素原子数が１３〜１７の線状アルキルまたはアルケニル鎖を含む。カチオンは、例えばナトリウム、カリウム、アンモニウム、モノ−、ジ−もしくはトリエタノールアンモニウム、マグネシウム、またはこれらの混合物である。ナトリウムがカチオンとして好ましい。
【００３４】
界面活性剤として作用する対応するスルホネートを得ることができる第一アルカンスルホン酸の製造は、例えばＥＰ８５４１３６Ａ１（特許文献１）に記載されている。
【００３５】
アニオン性界面活性剤という用語は、Ｃ１２〜Ｃ２４−α−オレフィン、好ましくはＣ１４〜Ｃ１６−α−オレフィンを三酸化硫黄でスルホン化し、次いで中和して得られるオレフィンスルホネートも包含する。製造方法に起因して、これらのオレフィンスルホネートは少量のヒドロキシアルカンスルホネート及びアルカンジスルホネートを含み得る。α−オレフィンスルホネートの特定の混合物が、ＵＳ３，３３２，８８０（特許文献２）に記載されている。
【００３６】
更に別の好ましいアニオン性界面活性剤は、カルボキシレート、例えば脂肪酸石けん及び匹敵する界面活性剤である。石けんは、飽和または不飽和であることができ、そして様々な置換基、例えばヒドロキシル基またはα−スルホネート基を含むことができる。線状で飽和もしくは不飽和の炭化水素残基が、炭素原子数６〜３０、好ましくは炭素原子数１０〜１８の疎水性部分として好ましい。
【００３７】
非イオン性界面活性剤としては、例えば次の化合物が挙げられる：
【００３８】
アルキルフェノールのポリエチレン−、ポリプロピレン−及びポリブチレンオキシド縮合物
これらの化合物は、Ｃ６〜Ｃ２０アルキル基（これは線状または分枝状のいずれかであることができる）を有するアルキルフェノールとアルケンオキシドとの縮合生成物を含む。これらの界面活性剤は、アルキルフェノールアルコキシレート、例えばアルキルフェノールエトキシレートと称される。
【００３９】
脂肪族アルコールと１〜２５モルのエチレンオキシドとの縮合生成物
脂肪アルコールのアルキルまたはアルケニル鎖は、線状または分枝状であること、第一または第二であることができ、そして一般的に８〜２２個の炭素原子を含む。特に好ましいものは、Ｃ１０〜Ｃ２０アルコールと、アルコール１モル当たり２〜１８モルのエチレンオキシドとの縮合生成物である。アルコールエトキシレートは、エチレンオキシドの狭い同族列分布（“ナローレンジ・エトキシレート”）または広い同族列分布（“ブロードレンジ・エトキシレート”）を有することができる。このタイプの商業的に入手可能な非イオン性界面活性剤の例は、Ｔｅｒｇｉｔｏｌ（登録商標）１５−Ｓ−９（線状第二Ｃ１１〜Ｃ１５アルコールと９モルのエチレンオキシドとの縮合生成物）、Ｔｅｒｇｉｔｏｌ（登録商標）２４−Ｌ−ＮＭＷ（モル質量分布の狭い線状第一Ｃ１２〜Ｃ１４アルコールと６モルのエチレンオキシドとの縮合生物）である。クラリアントのＧｅｎａｐｏｌ（登録商標）ブランドも同様にこの製品クラスに該当する。
【００４０】
プロピレンオキシドとプロピレングリコールとの縮合によって形成された疎水性ベースとエチレンオキシドとの縮合生成物
これらの化合物の疎水性部分は、好ましくは１５００〜１８００の分子量を有する。この疎水性部分へのエチレンオキシドの付加は、水溶性の向上をもたらす。この生成物は、縮合生成物の総重量の約５０％のポリエチレン含有率まで液状であり、これは約４０モルまでのエチレンオキシドとの縮合に相当する。この製品クラスの商業的に入手可能な例は、ＢＡＳＦのＰｌｕｒｏｎｉｃ（登録商標）ブランド及びクラリアントのＧｅｎａｐｏｌ（登録商標）ＰＦブランドである。
【００４１】
プロピレンオキシドとエチレンジアミンとの反応生成物とエチレンオキシドとの縮合生成物
これらの化合物の疎水性単位は、エチレンジアミンと過剰のプロピレンオキシドとの反応生成物から構成され、そして一般的に２５００〜３０００の分子量を有する。この疎水性単位に、ポリオキシエチレン含有率が４０〜８０重量％及び分子量が５０００〜１１０００となるまでエチレンオキシドが付加される。この化合物クラスの商業的に入手可能な例は、ＢＡＳＦのＴｅｔｒｏｎｉｃ（登録商標）ブランド、及びクラリアントのＧｅｎａｐｏｌ（登録商用）ＰＮブランドである。
【００４２】
半極性非イオン性界面活性剤
非イオン性化合物のこのカテゴリーは、次式の水溶性アミンオキシドを含む。
【００４３】
【化２】
2014523469.tif 000003
【００４４】
ここでＲは、炭素原子数８〜２２の鎖長を有するアルキル基、ヒドロキシアルキル基またはアルキルフェノール基であり、Ｒ２は、炭素原子数２〜３のアルキレン基もしくはヒドロキシアルキレン基またはこれらの混合物であり、各々のＲ１基は、炭素原子数１〜３のアルキル基もしくはヒドロキシアルキル基、またはエチレンオキシド単位数１〜３のポリエチレンオキシド基であり、そしてｘは０〜１０の数を意味する。
【００４５】
脂肪酸アミド
脂肪酸アミドは次式を有する。
【００４６】
【化３】
2014523469.tif 000004
【００４７】
式中、Ｒは、炭素原子数７〜２１、好ましくは炭素原子数９〜１７のアルキル基であり、そして各Ｒ１基は、水素、Ｃ１〜Ｃ４アルキル、Ｃ１〜Ｃ４ヒドロキシアルキルまたは（Ｃ２Ｈ４Ｏ）ｘＨを意味し、ここでｘは１〜３の間で変わる。好ましいものは、Ｃ８〜Ｃ２０−アミド、−モノエタノールアミド、−ジエタノールアミド及び−イソプロパノールアミドである。
【００４８】
更に別の好適な非イオン性界面活性剤は、アルキル−及びアルケニルオリゴグリコシド、並びにそれぞれ脂肪アルキル基中に８〜２０個、好ましくは１２〜１８個のＣ原子を有する脂肪酸ポリグリコールエステルまたは脂肪アミンポリグリコールエステル、アルキルオリゴグリコシド、アルケニルオリゴグリコシド、及び脂肪酸−Ｎ−アルキルグルカミドである。
【００４９】
両性または双性イオン性界面活性剤の典型例は、アルキルベタイン、アルキルアミドベタイン、アミノプロピオネート、アミノグリシネートまたは次式の両性イミダゾリニウム化合物である。
【００５０】
【化４】
2014523469.tif 000005
【００５１】
式中、Ｒ１は、Ｃ８〜Ｃ２２−アルキルまたは−アルケニルを意味し、Ｒ２は水素またはＣＨ２ＣＯ２Ｍを意味し、Ｒ３はＣＨ２ＣＨ２ＯＨまたはＣＨ２ＣＨ２ＯＣＨ２ＣＨ２ＣＯ２Ｍを意味し、Ｒ４は水素、ＣＨ２ＣＨ２ＯＨまたはＣＨ２ＣＨ２ＣＯＯＭを意味し、ＺはＣＯ２ＭまたはＣＨ２ＣＯ２Ｍを意味し、ｎは２または３、好ましくは２を意味し、Ｍは水素またはカチオン、例えばアルカリ金属、アルカリ土類金属、アンモニウムもしくはアルカノールアンモニウムを意味する。
【００５２】
前記式の好ましい両性界面活性剤はモノカルボキシレート及びジカルボキシレートである。これの例は、ココアンフォ（ｃｏｃｏａｍｐｈｏ）カルボキシプロピオネート、ココアミドカルボキシプロピオン酸、ココアンフォカルボキシグリシネート（またはココアンフォジアセテートとも称される）及びココアンフォアセテートである。
【００５３】
更に別の好ましい両性界面活性剤は、線状もしくは分枝状であることができる炭素原子数が８〜２２、好ましくは炭素原子数が８〜１８、特に好ましくは炭素原子数が１２〜１８のアルキル基を有するアルキルジメチルベタイン及びアルキルジポリエトキシベタインである。これらの化合物は、例えば、クラリアントからＧｅｎａｇｅｎ（登録商標）ＬＡＢの商品名で市販されている。
【００５４】
適当なカチオン性界面活性剤は、Ｒ１Ｎ（ＣＨ３）３ρＸσ、Ｒ１Ｒ２Ｎ（ＣＨ３）２ρＸσ、Ｒ１Ｒ２Ｒ３Ｎ（ＣＨ３）ρＸσまたはＲ１Ｒ２Ｒ３Ｒ４ＮρＸσのタイプの置換されたもしくは置換されていない直鎖状もしくは分枝状第四アンモニウム塩である。Ｒ１、Ｒ２、Ｒ３及びＲ４基は、好ましくは互いに独立して、Ｃ原子数８〜２４、好ましくはＣ原子数が１０〜１８の間の鎖長を有する置換されていないアルキル、Ｃ原子数が１〜４のヒドロキシアルキル、フェニル、Ｃ２〜Ｃ１８アルケニル、Ｃ７〜Ｃ２４アラルキル、（Ｃ２Ｈ４Ｏ）ｘＨ（ｘは１〜３を意味する）、一つまたは一つ超のエステル基を含むアルキル基、または環状第四アンモニウム塩であることができる。Ｘは適当なアニオンである。
【００５５】
乳化剤としては、Ｃ原子数８〜２２の線状もしくは分枝状で飽和もしくは不飽和の脂肪アルコール、Ｃ原子数１２〜２２の脂肪酸、アルキル基中のＣ原子数が８〜１５のアルキルフェノール及びソルビタンエステルに０〜３０モルのアルキレンオキシド、特にエチレンオキシド、プロピレンオキシド及び／またはブチレンオキシドが付加した付加生成物；
グリセリンに０〜３０モルのエチレンオキシドが付加した付加生成物の（Ｃ１２〜Ｃ１８）脂肪酸モノ−及びジエステル；
炭素原子数６〜２２の飽和もしくは不飽和脂肪酸及び場合によりそれらのエチレンオキシド付加生成物のグリセリンモノ−及びジエステル並びにソルビタンモノ−及びジエステル；
ヒマシ油及び／または硬化ヒマシ油に５〜６０モル、好ましくは１５〜６０モルのエチレンオキシドが付加した付加生成物；
ポリオールエステル、特にポリグリセリンエステル、例えばポリグリセリンポリリシノレエート及びポリグリセリンポリ−１２−ヒドロキシステアレート、
が考慮される。
【００５６】
更に、エトキシル化及び非エトキシル化モノ−、ジ−もしくはトリ−リン酸エステルなどのアニオン性乳化剤、並びにモノ−、ジ−もしくはトリ−アルキルクワット（Ａｌｋｙｌｑｕａｔ）及びそれらのポリマー性誘導体などのカチオン性乳化剤も使用することができる。
【００５７】
同様に、上記の物質群の複数からの化合物の混合物も適している。
【００５８】
該洗濯洗剤及び洗浄剤中に含まれ得る更に別の構成分には、水の硬度を低めるための無機及び／または有機ビルダーが含まれる。
【００５９】
これらのビルダーは、約５〜約８０％の重量割合で、洗濯洗剤及び洗浄剤中に含ませることができる。無機ビルダーには、例えば、ポリホスフェート、例えばトリポリホスフェート、ピロホスフェート及びガラス様ポリマー性メタホスフェート、ホスホネート、シリケート、カーボネート（ビカーボネートも含む）及びセスキカーボネート、スルフェート及びアルミノシリケートのアルカリ塩、アンモニウム塩及びアルカノールアンモニウム塩が含まれる。
【００６０】
ケイ酸塩ビルダーの例は、アルカリ金属ケイ酸塩、特に１．６：１〜３．２：１のＳｉＯ２：Ｎａ２Ｏ比を有するアルカリ金属ケイ酸塩であり、並びにクラリアントからＳＫＳ（登録商標）、ＳＫＳ−６（登録商標）の名称で入手できる、ＵＳ４，６６４，８３９（特許文献３）に記載されるような層状ケイ酸塩、例えば層状ケイ酸ナトリウムが特に好ましい層状ケイ酸塩ビルダーである。
【００６１】
アルミノケイ酸塩ビルダーは特に好ましい。これは、特に、式Ｎａｚ［（ＡｌＯ２）ｚ（ＳｉＯ２）ｙ］・ｘＨ２Ｏのゼオライトであり、式中、ｚ及びｙは、少なくとも６の整数を意味し、ｙに対するｚの比率は１．０〜０．５であり、そしてｘは１５〜２６４の整数を意味する。
【００６２】
アルミノケイ酸塩をベースとする適当なイオン交換体は市場で入手できる。これらのアルミノケイ酸塩は、結晶構造または非晶質構造であることができ、そして天然に生ずるものかまたは合成して製造することもできる。
【００６３】
合成結晶性アルミノケイ酸塩をベースとする好ましいイオン交換体は、Ｚｅｏｌｉｔｈ  Ａ、Ｚｅｏｌｉｔｈ  Ｐ（Ｂ）（ＥＰ−Ａ−０３８４０７０（特許文献４）に開示のものも含む）及びＺｅｏｌｉｔｈ  Ｘの名称で入手できる。
【００６４】
適当な有機ビルダーには、ポリカルボキシル化合物、例えばエーテルポリカルボキシレート及びオキシジスクシネート、例えばＵＳ３，１２８，２８７（特許文献５）及びＵＳ３，６３５，８３０（特許文献６）に記載のものが含まれる。同様に、ＵＳ４，６６３，０７１（特許文献７）から知られる“ＴＭＳ／ＴＤＳ”ビルダーも挙げられる。
【００６５】
他の適当なビルダーには、エーテルヒドロキシポリカルボキシレート、無水マレイン酸とエチレンまたはビニルメチルエーテルとのコポリマー、１，３，５−トリヒドロキシベンゼン−２，４，６−トリスルホン酸及びカルボキシメチルオキシコハク酸、ポリ酢酸のアルカリ、アンモニウム及び置換アンモニウム塩、例えばエチレンジアミンテトラ酢酸及びニトリロトリ酢酸、並びにポリカルボン酸、例えばメリト酸、コハク酸、オキシジコハク酸、ポリマレイン酸、ベンゼン−１，３，５−トリカルボン酸、カルボキシメチルオキシコハク酸、並びにこれらの可溶性の塩が含まれる。
【００６６】
シトレートベースのビルダー、例えばクエン酸及びそれの可溶性の塩、特にナトリウム塩は、好ましいポリカルボン酸ビルダーであり、これは、造粒した調合物においても、特にゼオライト及び／または層状ケイ酸塩と一緒に使用することができる。
【００６７】
更に別の適当なビルダーは、３，３−ジカルボキシ−４−オキサ−１，６−ヘキサンジオエート及びＵＳ４，５６６，９８４（特許文献８）に記載の類似の化合物である。
【００６８】
リンをベースとするビルダーを使用できる時、特に人手で洗浄するための固形石けんを調製すべき場合には、様々なアルカリ金属リン酸塩、例えばトリポリリン酸ナトリウム、ピロリン酸ナトリウム及びオルトリン酸ナトリウムを使用することができる。エタン−１−ヒドロキシ−１，１−ジホスホネート並びにＵＳ３，１５９，５８１（特許文献９）、ＵＳ３，２１３，０３０（特許文献１０）、ＵＳ３，４２２，０２１（特許文献１１）、ＵＳ３，４００，１４８（特許文献１２）及びＵＳ３，４２２，１３７（特許文献１３）に開示されるような他の既知のホスホネートなどのホスホネート系ビルダーも同様に使用することができる。
【００６９】
該洗濯洗剤及び洗浄剤は、場合により、一種または二種以上の慣用の漂白剤、並びに活性化剤または安定化剤、特にパーオキシ酸を含むことができる。
【００７０】
パーオキシ酸は、遊離のパーオキシ酸であることができるか、または過酸塩とパーオキシ酸前駆体との組み合わせが水中に溶ける時は、無機過酸塩、例えば過ホウ酸ナトリウムまたは過炭酸ナトリウムと、パーオキシ酸に転化される有機パーオキシ酸前駆体との組み合わせのいずれかであることができる。有機パーオキシ酸前駆体は、しばしば漂白活性化剤と称される。
【００７１】
好ましいパーオキシ酸の例には、パーオキシドデカン二酸（ＤＰＤＡ）、パーオキシコハク酸のノニルアミド（ＮＡＰＳＡ）、パーオキシアジピン酸のノニルアミド（ＮＡＰＡＡ）、及びデシルジパーオキシコハク酸（ＤＤＰＳＡ）が含まれる。
【００７２】
パーオキシ酸含有漂白剤は、それが洗濯洗剤及び洗浄剤に通常使用される量で使用される。
【００７３】
５〜６０℃の約１０〜１５リットルの水を含む典型的な洗濯液に使用されるような洗濯洗剤の単位投与量を基準としたパーオキシ酸含有漂白剤の適当な量は、約１ｐｐｍ〜約１５０ｐｐｍの利用可能な酸素、好ましくは約２ｐｐｍ〜約２０ｐｐｍの利用可能な酸素を生じさせるものである。十分な漂白結果を達成するためには、洗濯液は、好ましくは７〜１２、特に好ましくは８〜１１のｐＨ値を有するのがよい。
【００７４】
代替的に、漂白剤組成物は、適当な有機パーオキシ酸前駆体を含むことができ、これは、水性アルカリ性溶液中で過酸化水素と反応した時に上記のパーオキシ酸の一つを生成するものである。過酸化水素源は、水溶液中で過酸化水素を遊離する任意の無機過酸化物であることができ、例えば過ホウ酸ナトリウム（一水和物及び四水和物）及び過炭酸ナトリウムなどである。
【００７５】
漂白活性化剤としては、Ｎ，Ｎ，Ｎ’，Ｎ’−テトラアセチルエチレンジアミン（ＴＡＥＤ）、グルコースペンタアセテート（ＧＰＡ）、キシローステトラアセテート（ＴＡＸ）、ナトリウム−４−ベンゾイルオキシ−ベンゼンスルホネート（ＳＢＯＢＳ）、ナトリウムトリメチルヘキサノイルオキシベンゼンスルホネート（ＳＴＨＯＢＳ）、テトラアセチルグルコールウリル（ＴＡＧＵ）、テトラアセチルシアン酸（ＴＡＣＡ）、ジ−Ｎ−アセチルジメチルグリオキシン（ＡＤＭＧ）及び１−フェニル−３−アセチルヒダントイン（ＰＡＨ）、ノナノイルカプロラクタムフェニル−スルホネートエステル（ＡＰＥＳ）、ノナノイルフェニルスルホネートエステル（ＮＯＰＳ）、ニトリロトリアセテート（ＮＴＡ）及びアンモニウムニトリルが挙げられる。
【００７６】
金属イオン封鎖剤としては、トリポリリン酸ナトリウム（ＳＴＰＰ）、エチレンジアミンテトラ酢酸（ＥＤＴＡ）及びその塩、ニトリロトリ酢酸（ＮＴＡ）、ポリアクリレート、ホスホネート、シュウ酸、シュウ酸塩、クエン酸、ゼオライト、縮合ホスフェート、カーボネート、ポリカーボネードが挙げられる。
【００７７】
ソイルリリースポリマー（ＳＲＰ）には、一種または二種以上のスルホ基不含芳香族ジカルボン酸及び／またはそれの塩、一種または二種以上のスルホ基含有ジカルボン酸、式Ｒ１Ｏ（ＣＨＲ２ＣＨＲ３Ｏ）ｎＨ（式中、Ｒ１は、炭素原子数１〜２２の線状または分枝状アルキルまたはアルケニル基、好ましくはＣ１〜Ｃ４アルキル、特に好ましくはメチルを表し、Ｒ２及びＲ３は、互いに独立して、水素を表すかまたは炭素原子数１〜４のアルキル基を表し、好ましくは水素及び／またはメチルを表し、そしてｎは１〜１００の数である）の一種または二種以上の化合物、式Ｈ−（ＯＣＨ２ＣＨ２）ｍ−ＳＯ３Ｘ（式中、ｍは１〜１００の数を表し、そしてＸは水素またはアルカリ金属イオンを表す）の一種または二種以上の化合物、及び一種または二種以上の架橋性多官能性化合物から選択される成分を重合して得ることができるポリエステルが適している。
【００７８】
ＳＲＰは、完成した組成物を基準にして０．１〜１０重量％、好ましくは０．２〜３重量％の量で含まれることができる。
【００７９】
黒ずみ防止剤としては、カルボキシメチルセルロース、メチルセルロース、ヒドロキシアルキルセルロース、メチルヒドロキシエチルセルロース、メチルヒドロキシプロピルセルロース、メチルカルボキシメチルセルロース及びポリビニルピロリドンが挙げられる。
【００８０】
色移り防止剤、例えばポリアミン−Ｎ−オキシド、例えばポリ（４−ビニルピリジン−Ｎ−オキシド）、例えばＩＳＰ社のＣｈｒｏｍａｂｏｎｄ  Ｓ−４００、ポリビニルピロリドン、例えばＢＡＳＦ社のＳｏｋａｌａｎ（登録商標）ＨＰ５０、及びＮ−ビニルピロリドンとＮ−ビニルイミダゾール及び任意に他のモノマーとのコポリマーも考慮される。
【００８１】
該洗濯洗剤及び洗浄剤は、染料定着剤も有効物質として含むことができ、例えばジエチレントリアミン、ジシアンジアミド及びアミド硫酸の反応、アミン類とエピクロロヒドリンとの反応、例えばジメチルアミノプロピルアミンとエピクロロヒドリンとの反応またはジメチルアミンとエピクロロヒドリンとの反応、あるいはジシアンジアミド、ホルムアルデヒド及び塩化アンモニウムの反応、あるいはジシアンジアミド、エチレンジアミン及びホルムアルデヒドの反応、あるいはシアナミドとアミン類及びホルムアルデヒドとの反応、あるいはポリアミン類とシアナミド類及びアミド硫酸との反応、あるいはシアナミド類とアルデヒド類及びアンモニウム塩との反応によって得られる染料定着剤、並びにポリアミン−Ｎ−オキシド、例えばポリ（４−ビニルピリジン−Ｎ−オキシド）、例えばＩＳＰ社のＣｈｒｏｍａｂｏｎｄ（登録商標）Ｓ−４００；ポリビニルピロリドン、例えばＢＡＳＦ社のＳｏｋａｌａｎ（登録商標）ＨＰ５０、及びＮ−ビニルピロリドンとＮ−ビニルイミダゾール及び任意に他のモノマーのコポリマーを含むことができる。
【００８２】
該洗濯洗剤及び洗浄剤は、錯化剤、例えばアミノカルボキシレート類、例えばエチレンジアミンテトラアセテート、Ｎ−ヒドロキシエチルエチレンジアミントリアセテート、ニトリロトリアセテート、エチレンジアミンテトラプロピオネート、トリエチレンテトラアミンヘキサアセテート、ジエチレントリアミンペンタアセテート、シクロヘキサンジアミンテトラアセテート、ホスホネート類、例えばアザシクロヘプタンジホスホネート，Ｎａ塩、ピロホスフェート類、エチドロン酸（１−ヒドロキシエチリデン−１，１−ジホスホン酸、１−ヒドロキシエチアン−１，１−ジホスホン酸、アセトホスホン酸）及びこれらの塩、アミノホスホネート類、例えばエチレンジアミンテトラキス（メチレンホスホネート）、ジエチレントリアミンペンタキス（メチレンホスホネート）、アミントリメチレンホスホン酸、シクロデキストリン類、並びに多官能性置換芳香族錯化剤、例えばジヒドロキシジスルホベンゼンまたはエチレンジアミンジスクシネート類を含むことができる。
【００８３】
蛍光増白剤としては、環状炭化水素、例えばジスチリルベンゼン類、ジスチリルビフェニル類、ジフェニルスチルベン類、トリアジニルアミノスチルベン類、スチルベニル−２Ｈ−トリアゾ−ル類、例えばスチルベンジル−２Ｈ−ナフトール［１，２−ｄ］トリアゾ−ル類及びビス（１，２，３−トリアゾ−ル−２−イル）スチルベン類、ベンゾキサゾール類、例えばスチルベニルベンゾキサゾール及びビス（ベンゾキサゾール）、フラン類、ベンゾフラン類及びベンズイミダゾール類、例えばビス（ベンゾ［ｂ］フラン−２−イル）ビフェニル及びカチオン性ベンズイミダゾール類、１，３−ジフェニル−２−ピラゾリン、クマリン、ナフタルイミド類、１，３，５−２−イル−誘導体、メチンシアニン及びジベンゾチオフェン−５，５−オキシドを使用することができる。
【００８４】
好ましいものは、アニオン性蛍光増白剤、特にスルホン化された化合物である。
【００８５】
更に、トリアジニルアミノスチルベン類、ジスチリルビフェニル類及びこれらの混合物、２−（４−スチリルフェニル）−２Ｈ−ナフト［１，２−ｄ］トリアゾール、４，４’−ビス−（１，２，３−トリアゾール−２−イル）スチルベン、アミノクマリン、４−メチル−７−エチルアミノクマリン、１，２−ビス（ベンズイミダゾール−２−イル）エチレン、１，３−ジフェニルフラゾリン、２，５−ビス（ベンゾオキサゾール−２−イル）チオフェン類、２−スチリル−ナフト［１，２−ｄ］オキサゾール、２−（４−スチリル−３−スルホフェニル）−２Ｈ−ナフト［１，２−ｄ］トリアゾール、及び２−（スチルベン−４−イル）−２Ｈ−ナフトール［１，２−ｄ］トリアゾールが考慮される。
【００８６】
該洗濯洗剤及び洗浄剤は、０．００１〜２重量％の量で、好ましくは０．００２〜０．８重量％の量で、特に好ましくは０．００３〜０．４重量％の量で蛍光増白剤を含むことができる。
【００８７】
柔軟化成分としては、次のタイプの第四アンモニウム塩が使用される。
【００８８】
【化５】
2014523469.tif 000006
【００８９】
式中、
Ｒ１は、Ｃ８−Ｃ２４  ｎ−もしくはｉｓｏ−アルキル、好ましくはＣ１０−Ｃ１８  ｎ−アルキルであり、
Ｒ２は、Ｃ１−Ｃ４−アルキル、好ましくはメチルであり、
Ｒ３は、Ｒ１またはＲ２であり、
Ｒ４は、Ｒ２またはヒドロキシエチルもしくはヒドロキシプロピルもしくはこれらのオリゴマーであり、及び
Ｘ−は、ブロマイド、クロライド、アイオダイド、メトスルフェート、アセテート、プロピオネートまたはラクテートである。
【００９０】
これの例は、ジステアリルジメチルアンモニウムクロライド、ジタローアルキルジメチルアンモニウムクロライド、ジタローアルキルメチルヒドロキシプロピルアンモニウムクロライド、セチルトリメチルアンモニウムクロライドまたは対応するベンジル誘導体、例えばドデシルジメチルベンジルアンモニウムクロライドである。アルキルモルホリン誘導体などの環状第四アンモニウム塩も同様に使用することができる。
【００９１】
更に、上記の第四アンモニウム化合物の他に、イミダゾリニウム化合物（１）及びイミダゾリン誘導体（２）を使用することができる。
【００９２】
【化６】
2014523469.tif 000007
【００９３】
式中、
Ｒは、Ｃ８−Ｃ２４  ｎ−もしくはｉｓｏ−アルキル、好ましくはＣ１０−Ｃ１８  ｎ−アルキルであり、
Ｘは、ブロマイド、クロライド、アイオダイドまたはメトスルフェートであり、そして
Ａは、−ＮＨ−ＣＯ−、−ＣＯ−ＮＨ−、−Ｏ−ＣＯ−または−ＣＯ−Ｏ−である。
【００９４】
特に好ましい化合物群は、いわゆるエステルクワット（Ｅｓｔｅｒｑｕａｔ）である。これは、アルカノールアミンと脂肪酸とを反応させ、次いでその生成物を通常のアルキル化剤またはヒドロキシアルキル化剤で四級化した反応生成物である。
【００９５】
エステルクワットの例は、次式の化合物である：
【００９６】
【化７】
2014523469.tif 000008
【００９７】
式中、Ｒ−Ｃ−Ｏは、飽和または不飽和であることができるＣ８−Ｃ２４−脂肪酸から誘導される。ｎは、０〜１０の範囲、好ましくは０〜３の範囲、特に好ましくは０〜１の範囲である。
【００９８】
更に別の好ましい洗濯柔軟剤原料は、例えばジアルキルトリアミン及び長鎖脂肪酸をベースとするアミドアミン類、並びにそれのオキシエチレートまたは四級化物である。これらの化合物は次の構造を有する：
【００９９】
【化８】
2014523469.tif 000009
【０１００】
式中、
Ｒ１及びＲ２は、互いに独立して、Ｃ８−Ｃ２４  ｎ−もしくはｉｓｏ−アルキル、好ましくはＣ１０−Ｃ１８  ｎ−アルキルを意味し、
Ａは、−ＣＯ−ＮＨ−または−ＮＨ−ＣＯ−を意味し、
ｎは、１〜３、好ましくは２を意味し、そして
ｍは、１〜５、好ましくは２〜４を意味する。
【０１０１】
第三アミノ基の四級化によって、追加的に、Ｃ１−Ｃ４アルキル、好ましくはメチルであることができるＲ３基、及びクロライド、ブロマイド、アイオダイドまたはメチルスルフェートであることができる対イオンＸを導入することができる。アミドアミノオキシエチレートまたはそれの四級化された転化生成物は、Ｖａｒｉｓｏｆｔ（登録商標）５１０、Ｖａｒｉｓｏｆｔ（登録商標）５１２、Ｒｅｗｏｐａｌ（登録商標）Ｖ３３４０及びＲｅｗｏｑｕａｔ（登録商標）Ｗ２２２ＬＭの商品名で提供されている。
【０１０２】
該洗濯洗剤及び洗浄剤は、好ましくは、染料及びフレグランスもしくは香料を含む。
【０１０３】
染料として好ましいものは、アシッドレッド１８（ＣＩ１６２５５）、アシッドレッド２６、アシッドレッド２７、アシッドレッド３３、アシッドレッド５１、アシッドレッド８７、アシッドレッド８８、アシッドレッド９２、アシッドレッド９５、アシッドレッド２４９（ＣＩ）１８１３４、アシッドレッド５２（ＣＩ４５１００）、アシッドバイオレッド１２６、アシッドバイオレッド４８、アシッドバイオレッド５４、アシッドイエロー１、アシッドイエロー３（ＣＩ４７００５）、アシッドイエロー１１、アシッドイエロー２３（ＣＩ１９１４０）、アシッドイエロー３、ダイレクトブルー１９９（ＣＩ７４１９０）、ダイレクトイエロー２８（ＣＩ１９５５５）、フードブルー２（ＣＩ４２０９０）、フードブルー５：２（ＣＩ４２０５１：２）、フードレッド７（ＣＩ１６２５５）、フードイエロー１３（ＣＩ４７００５）、フードイエロー３（ＣＩ１５９８５）、フードイエロー４（ＣＩ１９１４０）、リアクティブグリーン１２、ソルベントグリーン７（ＣＩ５９０４０）である。
【０１０４】
特に好ましい染料は、水溶性酸性染料、例えばフードイエロー１３（アシッドイエロー３、ＣＩ４７００５）、フードイエロー４（アシッドイエロー２３、ＣＩ１９１４０）、フードレッド７（アシッドレッド１８、ＣＩ１６２５５）、フードブルー２（アシッドブルー９、ＣＩ４２０９０）、フードブルー５（アシッドブルー３、ＣＩ４２０５１）、アシッドレッド２４９（ＣＩ１８１３４）、アシッドレッド５２（ＣＩ４５１００）、アシッドバイオレッド１２６、アシッドバイオレッド４８、アシッドブルー８０（ＣＩ６１５８５）、アシッドブルー１８２、アシッドブルー１８２、アシッドグリーン２５（ＣＩ６１５７０）、アシッドグリーン８１である。
【０１０５】
同様に、水溶性ダイレクト染料、例えばダイレクトイエロー２８（ＣＩ１９５５５）、ダイレクトブルー１９９（ＣＩ７４１９０）、及び水溶性リアクティブ染料、例えばリアクティブグリーン１２、並びに次の染料、すなわちフードイエロー３（ＣＩ１５９８５）、アシッドイエロー１８４も同様に好ましく使用することができる。
【０１０６】
次の顔料着色剤の水性分散液も同様に好ましく使用することができ、この際、溶液または分散液の着色に使用される着色剤分散液の濃度は、０．１〜５０重量％の範囲、好ましくは１〜４５重量％の範囲、特に好ましくは５〜４０重量％の範囲、就中好ましくは１０〜３５重量％の範囲である。
【０１０７】
水性顔料分散液が、顔料の他に、分散剤及び任意に更に別の助剤、例えば殺生物剤などを含むことは当業者には既知である。
【０１０８】
顔料着色剤には、ピグメントブラック７（ＣＩ７７２６６）、ピグメントブルー１５（ＣＩ７４１６０）、ピグメントブルー１５：１（ＣＩ７４１６０）、ピグメントブルー１５：３（ＣＩ７４１６０）、ピグメントグリーン７（ＣＩ７４２６０）、ピグメントオレンジ５、ピグメントレッド１１２（ＣＩ１２３７０）、ピグメントレッド１１２（ＣＩ１２３７０）、ピグメントレッド１２２（ＣＩ７３９１５）、ピグメントレッド１７９（ＣＩ７１１３０）、ピグメントレッド１８４（ＣＩ１２４８７）、ピグメントレッド１８８（ＣＩ１２４６７）、ピグメントレッド４（ＣＩ１２０８５）、ピグメントレッド５（ＣＩ１２４９０）、ピグメントレッド９、ピグメントバイオレット２３（ＣＩ５１３１９）、ピグメントイエロー１（ＣＩ１１６８０）、ピグメントイエロー１３（ＣＩ２１１００）、ピグメントイエロー１５４、ピグメントイエロー３（ＣＩ１１７１０）、ピグメントイエロー７４、ピグメントイエロー８３（ＣＩ２１１０８）、ピグメントイエロー９７などが挙げられる。
【０１０９】
好ましい実施形態の一つでは、次の顔料着色剤が分散液の形で使用される：ピグメントイエロー１（ＣＩ１１６８０）、ピグメントイエロー３（ＣＩ１１７１０）、ピグメントレッド１１２（ＣＩ１２３７０）、ピグメントレッド５（ＣＩ１２４９０）、ピグメントレッド１８１（ＣＩ７３３６０）、ピグメントバイオレット２３（ＣＩ５１３１９）、ピグメントブルー１５：１（ＣＩ７４１６０）、ピグメントグリーン７（ＣＩ７４２６０）、ピグメントブラック７（ＣＩ７７２６６）。
【０１１０】
他の好ましい実施形態の一つでは、水溶性ポリマー染料、例えばリキティント（登録商標）、リキティントブルーＨＰ．（登録商標）、リキティントブルー６５．（登録商標）、リキティントパテントブルー（登録商標）、リキティントローヤルブルー．（登録商標）、リキティントエクスペリメンタルイエロー８９４９−４３．（登録商標）、リキティントグリーンＨＭＣ．（登録商標）、リキティントイエローＩＩ．（登録商標）及びこれらの混合物が使用される。
【０１１１】
フレグランスまたは香料としては、個々の匂い化合物、例えばエステル、エーテル、アルデヒド、ケトン、アルコール及び炭化水素のタイプの合成生成物を使用することができる。エステルタイプの匂い化合物は、例えば、ベンジルアセテート、フェノキシエチルイソブチレート、ｐ−ｔｅｒｔ．−ブチルシクロヘキシルアセテート、リナリルアセテート、ジメチルベンジルカルビニルアセテート、フェニルエチルアセテート、リナリルベンゾエート、ベンジルホルミエート、エチル−メチルフェニルグリシネート、アリルシクロヘキシルプロピオネート、スチラリルプロピオネート及びベンジルサリチレートである。エーテルには、例えばベンジルエチルエーテルが、アルデヒドには、例えば炭素原子数８〜１８の線状アルカナール、シトラール、シトロネラール、シトロネリルオキシアセトアルデヒド、ヒドロキシシトロネラール、リリアール及びブルゲオナールが、ケトンには、例えばアイオノン、アルファ−イソメチルアイオノン及びメチル−セドリルケトンが、アルコールには、アネトール、シトロネロール、オイゲノール、ゲラニオン、リナロール、フェニルエチルアルコール及びテルピネオールが、炭化水素には主にテルペン類及びバルサム類が挙げられる。好ましくは、一緒になって心地良い香気を生む様々な匂い物質の混合物が使用される。
【０１１２】
香油は、植物性または動物性の源から得ることができるような天然の匂い物質混合物、例えばパイン油、シトラス油、ジャスミン油、ユリ油、バラ油、またはイランイラン油も含むことができる。大概の場合に芳香成分として使用される揮発性が比較的低いエーテル油も香油として適しており、例えばセージ油、カモミール油、チョウジ油、メリッサ油、ハッカ油、シナモンリーフ油、リンデンブロッサム油、及びジュニパーベリー油などがある。
【０１１３】
好ましくは、上記のフレグランス及び香油の溶液またはエマルションが使用され、これらは通例の方法で製造することができる。
【０１１４】
本発明の好ましい実施形態の一つでは、該洗濯洗剤及び洗浄剤は、上記の一種または二種以上の第二パラフィンスルホネート及び上記の一種または二種以上の酵素の他に、一種または二種以上の（第二パラフィンスルホネートとは異なる）界面活性剤を含む。
【０１１５】
特に好ましくは、一種または二種以上の第二パラフィンスルホネート及び一種または二種以上の酵素は、繊維材料用の液状洗濯洗剤に使用される。繊維材料用の液状洗濯剤中でのこの用途では、好ましくはミルク、デンプン、血、チョコレート及／またはカカオに対する、特に好ましくはデンプンに対する前記一種または二種以上の酵素の洗浄能力が高められる。繊維材料上の汚れを洗浄するための液状洗濯洗剤での使用の時の洗濯温度は、好ましくは５〜６０℃、特に好ましくは１０〜５０℃、就中好ましくは２０〜４０℃である。それ故、繊維材料上の汚れに対する前記一種または二種以上の酵素の洗浄能力は、繊維材料用の前記液状洗濯洗剤の用途の場合には、好ましくは５〜６０℃、特に好ましくは１０〜５０℃、就中好ましくは２０〜４０℃の洗濯温度において高められる。
【０１１６】
好ましくは、洗浄剤中での使用の時の本発明の使用は１〜１２のｐＨ値で行われる。特に好ましい実施形態の一つでは、洗浄剤中での使用の時の本発明の使用は、２〜５のｐＨ値で行われる。他の特に好ましい実施形態の一つでは、洗浄剤中での使用の時の本発明の使用は、５．１〜１１のｐＨ値で行われる。
【０１１７】
好ましくは、洗濯洗剤、好ましくは液状洗濯洗剤中での使用の時の本発明の使用は、７〜１２、特に好ましくは８〜１１のｐＨ値で行われる。
【０１１８】
洗濯洗剤及び洗浄剤中での、好ましくは繊維材料用の液状洗濯洗剤中での本発明の使用の時は、本発明に従い使用される前記一種または二種以上の第二パラフィンスルホネートの量は、それぞれ完成した洗濯洗剤及び洗浄剤の総重量を基準にして、好ましくは５〜３０重量％、特に好ましくは７〜２５重量％、就中好ましくは１０〜２０重量％である。
【０１１９】
洗濯洗剤及び洗浄剤、好ましくは繊維材料用の液状洗濯洗剤中での本発明の使用の時は、前記一種または二種以上の酵素の量は、それぞれ完成した洗濯洗剤及び洗浄剤の総重量を基準にして、好ましくは少なくとも０．００１重量％、特に好ましくは０．００１〜８重量％、就中好ましくは０．００１〜４．５重量％、非常に好ましくは０．０１〜３．５重量％である。酵素の上記量は、特に、それの洗浄能力が本発明に従い高められる酵素に基づく値である。
【０１２０】
本発明の使用では、洗濯液中の総界面活性剤濃度は、それぞれ洗濯液の総重量を基準にして、好ましくは０．０８〜０．３０重量％、特に好ましくは０．０９〜０．２０重量％、就中好ましくは０．１０〜０．１５重量％、非常に好ましくは０．１１〜０．１３重量％である。
【実施例】
【０１２１】
以下の例は本発明を説明するものであるが、本発明はこれらの例に限定されない。全ての百分率の値は、他に明示的に記載がなければ、重量百分率（重量％）と理解されたい。
【０１２２】
以下の調合物を用いて洗濯試験を行った。
【０１２３】
調合物Ａ
高濃縮物、投与量：１２リットルの水中に３７ｍｌ
【０１２４】
【表１】
2014523469.tif 000010
【０１２５】
調合物Ｂ
高濃縮物、投与量：１２リットルの水中に３７ｍｌ
調合物Ａ中のＨｏｓｔａｐｕｒ（登録商標）ＳＡＳ６０の代わりに、Ｍａｒｌｏｎ（登録商標）Ａ３６０（線状アルキルベンゼンスルホネート，Ｎａ塩）からなる１８重量％の有効物質を加えた。
【０１２６】
調合物Ｉ
標準濃縮物、投与量：１２リットルの水中に７５ｍｌ
【０１２７】
【表２】
2014523469.tif 000011
【０１２８】
調合物ＩＩ
標準濃縮物、投与量：１２リットルの水中に７５ｍｌ
調合物Ｉ中のＨｏｓｔａｐｕｒ（登録商標）ＳＡＳ６０の代わりに、Ｍａｒｌｏｎ（登録商標）Ａ３６０（線状アルキルベンゼンスルホネート，Ｎａ塩）からなる１５重量％の有効物質を加えた。
【０１２９】
調合物Ａ、Ｂ、Ｉ及びＩＩの調製
Ｉ  室温下に攪拌しながら成分ＢをＡに加える。
ＩＩ  攪拌しながら成分Ｃを順次Ｉに加える。
ＩＩＩ  攪拌しながら成分Ｄを順次ＩＩに加える。
【０１３０】
Ｈｏｓｔａｐｕｒ（登録商標）ＳＡＳ６０は、水中の第二パラフィンスルホン酸ナトリウム（約６０重量％）の組成物である。使用した第二パラフィンスルホネートは、炭素原子数が１４〜１７のパラフィンスルホネートを約９７重量％の割合で含む。この第二パラフィンスルホネートのｎ−パラフィン含有率は９８重量％を超える。この第二パラフィンスルホネートは１００％飽和状である。これは、約９０重量％のモノスルホン化パラフィンスルホネートと、約１０重量％のジスルホン化及びより高度にスルホン化されたパラフィンスルホネートからなる。
【０１３１】
洗濯試験を以下の条件で行った。
洗濯機：      Ｓｉｅｍｅｎｓ  Ｓ  １６−７９
プログラム：  標準／色物
負荷量：      ３ｋｇ
温度：        ２０℃
脱水：        １４００回転／分
水量：        １２リットル
【０１３２】
洗濯していない繊維材料に対する洗濯した繊維材料の反射値の差ΔＲ４５７ｎｍを測定した。汚染した被測定繊維材料は商業的に入手可能である。次の繊維材料／汚れを測定した：  ＷＦＫ２０ＰＦ  顔料／植物脂肪、ＷＦＫ１０Ｎ  全卵／顔料、ＣＳ６  ナチュラルブラックを有するサラダドレッシング、ＣＳ７３  ローカストビーンガム／顔料、ＣＳ１０  バター脂で着色、ＣＳ２７  ジャガイモデンプンで着色、ＣＳ２８  コメデンプンで着色、ＣＳ８  草、ＰＣ３  チョコレート／ミルク／煤、Ｃ３  チョコレート／ミルク／煤、ＣＳ１  老化した血汚れ、Ｃ５  血／ミルク／墨、ＥＭＰＡ１６２  デンプン、ＥＭＰＡ１６４  草、ＥＭＰＡ１１２  カカオ、ＥＭＰＡ１１７  血／ミルク／墨、及びＥＭＰＡ１１６  血／ミルク／墨。
測定：
装置：              Ｅｌｒｅｐｈｏ  ３０００（データカラー）
開口：              ＸＬＡＶ  φ  ３４ｍｍ
エッジフィルター：  ４００ｎｍ
【０１３３】
測定は、調合物の製造直後に行った。
【０１３４】
以下の表Ａに、前述した１７種の全ての繊維材料／汚れについての測定した反射値の差ΔＲ４５７ｎｍの合計を示す。
【０１３５】
【表３】
2014523469.tif 000012
【０１３６】
酵素を含まない調合物Ａ’及びＢ’は、調合物Ａ、Ｂ、Ｉ及びＩＩと同様に、但し製造をステップＩＩの後に終了して調製することができる。
【０１３７】
表Ａの結果から、酵素を含まない対応する調合物Ａ’及びＢ’では、アルキルベンゼンスルホネートを含む調合物Ｂ’は、第二パラフィンスルホネートを含む調合物Ａ’と比べてより良好な洗濯結果を与えるにもかかわらず、酵素及び第二パラフィンスルホネートを含む調合物Ａは、酵素と線状アルキルベンゼンスルホネートを含む類似の調合物Ｂと比べて、かなりより良好な洗濯結果を与えることが分かる。
【国際調査報告】
2014523469.tif 000013
2014523469.tif 000014
2014523469.tif 000015
2014523469.tif 000016